(57)【要約】  本発明の排水装置用洗浄剤は、例えばポリプロピレン等の合成樹脂製の排水装置の内面洗浄に使用される。この排水装置用洗浄剤は、珪酸アルカリ、過炭酸アルカリ及び水酸化アルカリを含む洗浄基剤に、ノニオン性界面活性剤、アニオン性界面活性剤、カチオン性界面活性剤及び両性界面活性剤から選ばれる少なくとも３種の界面活性剤が含まれて構成されている。前記界面活性剤は洗浄性と制菌性を十分に発現するため、界面活性剤の合計含有量は０．３〜２．０質量％であり、カチオン性界面活性剤及び両性界面活性剤の少なくとも一方の界面活性剤を０．１〜０．６質量％含有することが好ましい。【特許請求の範囲】
【請求項１】
合成樹脂製の排水装置の内面洗浄に使用される排水装置用洗浄剤であって、
珪酸アルカリ、過炭酸アルカリ及び水酸化アルカリを含む洗浄基剤に、ノニオン性界面活性剤、アニオン性界面活性剤、カチオン性界面活性剤及び両性界面活性剤から選ばれる少なくとも３種の界面活性剤が含まれて構成されている排水装置用洗浄剤。
【請求項２】
前記界面活性剤の含有量は０．３〜２．０質量％である請求項１に記載の排水装置用洗浄剤。
【請求項３】
前記カチオン性界面活性剤及び両性界面活性剤の少なくとも一方の界面活性剤を０．１〜０．６質量％含有する請求項１又は請求項２に記載の排水装置用洗浄剤。
【請求項４】
前記界面活性剤中におけるカチオン性界面活性剤及び両性界面活性剤の少なくとも一方の界面活性剤の含有量は４０〜８０質量％である請求項３に記載の排水装置用洗浄剤。
【請求項５】
前記カチオン性界面活性剤は第４級アンモニウム塩であり、両性界面活性剤はアルキルアミンオキシド又はカルボキシベタインである請求項３又は請求項４に記載の排水装置用洗浄剤。
【請求項６】
前記洗浄基剤はさらにキレート剤を含有する請求項１から請求項５のいずれか一項に記載の排水装置用洗浄剤。
【請求項７】
前記合成樹脂は、ポリオレフィン、塩素系合成樹脂及びアクリル樹脂から選ばれる少なくとも１種を含む請求項１から請求項６のいずれか一項に記載の排水装置用洗浄剤。
【発明の詳細な説明】
【技術分野】
【０００１】
本発明は、例えば家庭用の流しの排水トラップや排水管等の排水装置の内面に残存する水分に基づく汚れの付着又は油の付着を抑制することができる排水装置用洗浄剤に関する。
【背景技術】
【０００２】
家庭用の流しの排水トラップや排水管は主にポリプロピレン（ＰＰ）、塩化ビニル樹脂（ＰＶＣ）等の合成樹脂で形成され、これらの合成樹脂は撥水性を有しているため管内面が清浄であれば垂直部や傾斜部に水分は残存しない。しかしながら、使用中に微生物によるバイオフィルムが管内面に形成され、それが成長し始めると合成樹脂の撥水性が失われて管内面に水分が残存しやすくなり、汚れの発生や付着が加速度的に増大する。キッチンのシンクにおいて、油分は界面活性剤等で乳化されたり、水に浮いたりして混合された状態で排出されるため、水分が残存しない状態であれば必然的に油分の汚れも残存し難い。このため、管内面の汚れが増大したときには洗浄剤組成物で洗浄する必要がある。【０００３】
従来の洗浄剤組成物としては、例えば毛髪用の洗浄剤組成物が特許文献１に開示されている。この洗浄剤組成物は、（Ａ）アニオン性界面活性剤、ノニオン性界面活性剤及び両性界面活性剤から選ばれる少なくとも１種の界面活性剤と、（Ｂ）カチオン性ポリマーとを含有するものである。具体的には、洗浄剤組成物として、カチオン性ポリマーに対してアニオン性界面活性剤と両性界面活性剤を含む組成物を配合したものが開示されている。そして、この洗浄剤組成物について、起泡量、毛髪に対する感触及び乾燥後の櫛どおりが評価されている。
【先行技術文献】
【特許文献】
【０００４】
【特許文献１】特開２００３−１７６４９６号公報
【発明の概要】
【発明が解決しようとする課題】
【０００５】
前記特許文献１に記載されている従来構成の洗浄剤組成物は、複数の界面活性剤を適宜の配合量で組合せることにより、起泡力を高め、洗浄時に毛髪に適度の滑りを付与し、すすぎ後に髪に好ましい感触を付与することができる。しかしながら、この洗浄剤組成物を合成樹脂製の排水管の洗浄にそのまま適用した場合には、排水管内面において微生物によるバイオフィルムの形成を抑制することができず、合成樹脂のもつ撥水性を発揮することが難しくなる。このため、排水管の内面に水膜が形成され、水分が残存しやすくなり、汚れの発生や付着が加速度的に増大するという問題があった。【０００６】
本発明は、このような従来技術に存在する問題点に着目してなされたものであり、その目的とするところは、排水装置内面における水分又は油の残存を抑え、汚れの発生や付着を抑制することができる排水装置用洗浄剤を提供することにある。
【課題を解決するための手段】
【０００７】
上記の目的を達成するために、本発明の排水装置用洗浄剤は、合成樹脂製の排水装置の内面洗浄に使用される排水装置用洗浄剤であって、珪酸アルカリ、過炭酸アルカリ及び水酸化アルカリを含む洗浄基剤に、ノニオン性界面活性剤、アニオン性界面活性剤、カチオン性界面活性剤及び両性界面活性剤から選ばれる少なくとも３種の界面活性剤が含まれて構成されている。【０００８】
前記洗浄基剤には洗浄作用のある珪酸アルカリ及び過炭酸アルカリが含まれるとともに、水分に親和する親水性と油分に親和する親油性を有する複数の界面活性剤が含まれているため、これらの成分が相俟って洗浄作用が発揮され、排水装置内面が洗浄される。【０００９】
前記洗浄剤を用いて排水装置内面が洗浄されると、洗浄された面に直ちに複数の界面活性剤が親和して付着し、保持される。そして、界面活性剤としてイオン性の異なる少なくとも３種の界面活性剤が併用されることから、特にカチオン性界面活性剤と両性界面活性剤とが含まれることにより制菌作用が強く発現され、排水装置内面において微生物の発生や成長を抑制することができる。【００１０】
従って、排水装置内面において微生物によるバイオフィルムの形成を抑えることができ、排水装置内面の撥水性を保持することができる。その結果、特に排水装置内面における水膜の形成が抑制され、水分の残存を抑えて汚れの発生や付着を極力低減させることができる。また、油分の残存を抑えて汚れの発生や付着を極力低減させることができる。
【発明の効果】
【００１１】
本発明によれば、次のような効果を発揮することができる。
本発明の排水装置用洗浄剤によれば、排水装置内面における水分又は油の残存を抑え、汚れの発生や付着を抑制することができるという効果を奏する。
【発明を実施するための形態】
【００１２】
以下、本発明を具体化した実施形態について詳細に説明する。
本実施形態における排水装置用洗浄剤は、合成樹脂製の排水装置の内面（管内面）の洗浄に使用される洗浄剤である。前記排水装置は家庭の流しの排水トラップ、排水管、それらの接続管などで構成される。その排水装置を構成する材料の具体例は、例えばポリプロピレン（ＰＰ）、ポリエチレン（ＰＥ）等のポリオレフィンのほか、ポリ塩化ビニル樹脂（ＰＶＣ）、ポリ塩化ビニリデン等の塩素系合成樹脂、ポリアクリル酸樹脂、ポリメタクリル酸樹脂、ポリメタクリル酸メチル樹脂（ＰＭＭＡ）等のアクリル樹脂等の合成樹脂である。１種類の合成樹脂を単独で使用してもよいし、又は２種以上の合成樹脂を適宜組み合わせて使用してもよい。
【００１３】
この排水装置用洗浄剤は、珪酸アルカリ、過炭酸アルカリ及び水酸化アルカリを含む洗浄基剤に、ノニオン性界面活性剤、アニオン性界面活性剤、カチオン性界面活性剤及び両性界面活性剤から選ばれる少なくとも３種の界面活性剤が含まれて構成されている。すなわち、排水装置用洗浄剤中には、洗浄基剤に加えて３種の界面活性剤又は４種の界面活性剤が含まれている。
【００１４】
前記洗浄基剤は排水装置内を清浄化して排水装置を構成する合成樹脂の撥水性を発現させる機能を有する。この洗浄基剤を構成する珪酸アルカリの具体例としては、例えばオルソ珪酸ナトリウム、メタ珪酸ナトリウム等が用いられる。オルソ珪酸ナトリウムは、珪酸（ＳｉＯ２）と酸化ナトリウム（Ｎａ２Ｏ）の混合物の結晶（２ＳｉＯ２・Ｎａ２Ｏ）であり、メタ珪酸ナトリウムも珪酸と酸化ナトリウムの混合物の結晶（ＳｉＯ２・Ｎａ２Ｏ・ＸＨ２Ｏ）である。１種類の珪酸アルカリを単独で使用してもよいし、又は２種以上の珪酸アルカリを適宜組み合わせて使用してもよい。
【００１５】
過炭酸アルカリの具体例としては、例えば過炭酸ナトリウム等が用いられる。この過炭酸ナトリウムは、炭酸ナトリウム（Ｎａ２ＣＯ３）と過酸化水素（Ｈ２Ｏ２）の混合物であり、酸化性を有している。１種類の過炭酸アルカリを単独で使用してもよいし、又は２種以上の過炭酸アルカリを適宜組み合わせて選択して使用される。水酸化アルカリの具体例としては、例えば水酸化ナトリウム（ＮａＯＨ）、水酸化カリウム（ＫＯＨ）等が用いられる。１種類の過炭酸アルカリを単独で使用してもよいし、又は２種以上の過炭酸アルカリを適宜組み合わせて使用してもよい。
【００１６】
前記洗浄基剤には、キレート剤、過炭酸アルカリの分解剤等の成分が含まれていてもよい。キレート剤の具体例としては、エチレンジアミン四酢酸（ＥＤＴＡ）又はその二ナトリウム塩、四ナトリウム塩或いはそれらのナトリウム塩の水和物等が用いられる。このキレート剤としてヒドロキシルアミン三酢酸、グルコン酸又はそれらの塩等を用いてもよい。１種類のキレート剤を単独で使用してもよいし、又は２種以上のキレート剤を適宜組み合わせて使用してもよい。前記過炭酸アルカリの分解剤を配合することにより、過炭酸アルカリの分解を促進して洗浄作用を高めることができる。
【００１７】
前記洗浄基剤を構成する各成分の配合割合は、主成分となる珪酸アルカリが２４〜８０質量％、過炭酸アルカリが５〜７０質量％及び水酸化アルカリが５〜１５質量％であることが好ましい。
【００１８】
次に、前記界面活性剤は親水性と親油性を併せ持ち、排水装置内面の水分や油分に親和して清浄化する機能を発現するとともに、制菌性を有して微生物の発生や成長を抑制する機能を発現する。この界面活性剤を構成するノニオン性界面活性剤の具体例としては特に制限されないが、例えばポリオキシアルキレンアルキルエーテル、ポリオキシエチレンアルキルエーテル、ポリオキシアルキレンラウリルエーテル、ポリオキシエチレン脂肪酸エステル等が挙げられる。
【００１９】
アニオン性界面活性剤の具体例としては特に制限されないが、硫酸エステル塩、カルボン酸塩、スルホン酸塩等が用いられる。硫酸エステル塩の具体例としては、例えばポリオキシエチレンアルキルエーテル硫酸ナトリウム、アルキル硫酸エステル等が挙げられる。カルボン酸塩の具体例としては、例えばアルキルエーテルカルボン酸塩、脂肪族モノカルボン酸塩等が挙げられる。スルホン酸塩の具体例としては、例えばアルキルベンゼンスルホン酸塩等が挙げられる。
【００２０】
カチオン性界面活性剤の具体例としては特に制限されず、第４級アンモニウム塩とアミン塩のいずれも使用できる。第４級アンモニウム塩の具体例としては例えば塩化ベンザルコニウム、ジアルキルジメチルアンモニウム等が挙げられ、アミン塩の具体例としては例えばモノアルキルアミン、ジアルキルアミン等が挙げられる。
【００２１】
両性界面活性剤の具体例としては特に制限されず、アミンオキシド界面活性剤、カルボキシベタイン、グリシン等のいずれも使用できる。アミンオキシド界面活性剤の具体例としては、例えばアルキルアミンオキシドであるアルキルジメチルアミンオキシド等が挙げられ、カルボキシベタインの具体例としては、例えば脂肪酸アミドプロピルベタイン、ヤシ油脂肪酸アミドプロピルベタイン等が挙げられ、グリシンの具体例としては、例えばアルキルジメチルアミノエチルグリシン等が挙げられる。
【００２２】
前記界面活性剤のうちカチオン性界面活性剤及び両性界面活性剤は特に制菌性（抗菌性）が高いことから、これらの界面活性剤の少なくとも一方を排水装置用洗浄剤に配合することが望ましい。カチオン性界面活性剤としては第４級アンモニウム塩が好ましく、両性界面活性剤としてはアルキルアミンオキシド又はカルボキシベタインが好ましい。
【００２３】
前記各界面活性剤は、それぞれ１種又は２種以上の成分が適宜選択して使用される。各界面活性剤の成分をそれぞれ２種以上組合せて使用することにより、各界面活性剤の機能向上を図ることができる。
【００２４】
前記排水装置用洗浄剤中における界面活性剤の含有量は０．３〜２．０質量％が好ましく、０．３〜１．５質量％がさらに好ましい。界面活性剤の含有量が０．３質量％以上の場合には、界面活性剤による制菌性が十分に発現されることにより、排水装置内面への水分又は油の付着量がより低減される。その一方、界面活性剤の含有量が２．０質量％以下の場合には、その含有量が増えるほど排水装置内面への水分又は油の付着量が低減され、また、洗浄剤による洗浄後における水洗時の泡切れも良くなる。
【００２５】
また、排水装置用洗浄剤中における洗浄基剤の含有量は、３０質量％以上が好ましく、９５〜９９質量％がさらに好ましい。洗浄基剤の含有量が３０質量％以上の場合には、洗浄基剤による洗浄効果がより向上する。
【００２６】
前記界面活性剤は、カチオン性界面活性剤及び両性界面活性剤の少なくとも一方の界面活性剤を０．１〜０．６質量％含有することが好ましい。カチオン性界面活性剤及び両性界面活性剤は制菌性が高いことから、排水装置内面において微生物によるバイオフィルムの形成や成長を阻害して排水装置を構成する合成樹脂の撥水性を維持することができる。この含有量が０．１質量％以上の場合には、カチオン性界面活性剤又は両性界面活性剤による制菌性が十分に発現されることにより、排水装置内面における撥水性がより向上する。その一方、カチオン性界面活性剤及び両性界面活性剤の少なくとも一方の含有量が０．６質量％以下の場合には、その含有量が大きくなるほど排水装置内面における撥水性が向上する。
【００２７】
前記界面活性剤中におけるカチオン性界面活性剤及び両性界面活性剤の少なくとも一方の界面活性剤の含有量は４０〜８０質量％であることが好ましい。このように、カチオン性界面活性剤及び両性界面活性剤の含有量を高濃度に設定することにより、カチオン性界面活性剤及び両性界面活性剤に基づく制菌性を高レベルで発現することができる。
【００２８】
本実施形態の排水装置用洗浄剤はそのまま排水装置内面の洗浄に使用することができるが、排水装置用洗浄剤を所定量の水で希釈して使用することが好ましい。この場合、排水装置用洗浄剤の濃度が１０〜５０質量％となるように水で希釈することが好ましい。
【００２９】
次に、本実施形態における排水装置用洗浄剤について作用を説明する。
さて、本実施形態の排水装置用洗浄剤を使用して家庭の排水装置内面を洗浄するときには、前記排水装置用洗浄剤を所定濃度まで水で希釈されるようにし、その希釈液を排水装置内に流し込む。このとき、排水装置用洗浄剤には洗浄基剤と、イオン性の異なる少なくとも３種の界面活性剤、すなわち、ノニオン性界面活性剤、アニオン性界面活性剤、カチオン性界面活性剤及び両性界面活性剤から選ばれる少なくとも３種の界面活性剤とが含まれている。洗浄基剤には珪酸アルカリ、過炭酸アルカリ及び水酸化アルカリが含まれている。
【００３０】
このように、排水装置用洗浄剤を構成する洗浄基剤には洗浄作用のあるアルカリ性の珪酸アルカリ及び過炭酸アルカリが含まれるとともに、水分に親和する親水性と油分に親和する親油性を有する複数の界面活性剤が含まれていることから、これらの成分が相俟って有効な洗浄作用が発揮され、排水装置内面が洗浄される。
【００３１】
洗浄剤を用いて排水装置内面が洗浄されると、洗浄された面に直ちに複数の界面活性剤が親和して付着し、保持される。そして、排水装置用洗浄剤には界面活性剤としてイオン性の異なる少なくとも３種の界面活性剤が併用されることから、特にカチオン性界面活性剤と両性界面活性剤とが含まれることにより制菌作用が強く発現され、排水装置内面において微生物の発生や成長を抑制することができる。
【００３２】
従って、排水装置内面において微生物によるバイオフィルムの形成を抑えることができ、排水装置内面の撥水性を長期間保持することができる。その結果、排水装置内面における水膜の形成が抑制され、水分の残存を抑えて汚れの発生や付着を極力低減させることができる。また、油分の残存を抑えて汚れの発生や付着を極力低減させることができる。
【００３３】
以上説明した実施形態によって得られる効果を以下にまとめて記載する。
（１）本実施形態の排水装置用洗浄剤は、珪酸アルカリ、過炭酸アルカリ及び水酸化アルカリを含む洗浄基剤に、ノニオン性界面活性剤、アニオン性界面活性剤、カチオン性界面活性剤及び両性界面活性剤から選ばれる少なくとも３種の界面活性剤が含まれて構成されている。
【００３４】
このため、洗浄基剤のもつ洗浄作用と、複数の界面活性剤のもつ親水性及び親油性とが相俟って有効な洗浄作用が発現され、排水装置内面が洗浄される。洗浄剤による排水装置内面の洗浄後には、洗浄された面に速やかに複数の界面活性剤が親和して付着、保持される。このとき、カチオン性界面活性剤及び両性界面活性剤を初めとする少なくとも３種の界面活性剤により制菌作用が発現され、排水装置内面において微生物の発生や成長を抑制することができる。
【００３５】
従って、洗浄基剤と界面活性剤とが相乗的に働き、排水装置内面において微生物によるバイオフィルムの形成を抑えることができて排水装置内面の撥水性を保持することができ、排水装置内面における水分の残存を抑えて汚れの発生や付着を持続して低減させることができる。また、油分の残存を抑えて汚れの発生や付着を極力低減させることができる。
【００３６】
よって、本実施形態の排水装置用洗浄剤によれば、排水装置内面における水分の残存を抑えたり、油の残存を抑えることにより、汚れの発生や付着を長期間に亘って抑制することができる。このため、排水装置の洗浄頻度を大幅に少なくすることができる。
【００３７】
（２）前記排水装置用洗浄剤中の界面活性剤の含有量は０．３〜２．０質量％である。このため、界面活性剤のもつ洗浄性や制菌性を十分に発現することができ、汚れの発生や付着を効果的に抑制することができる。
【００３８】
（３）前記カチオン性界面活性剤及び両性界面活性剤の少なくとも一方の界面活性剤を０．１〜０．６質量％含有する。この場合には、カチオン性界面活性剤及び両性界面活性剤に基づく制菌性を如何なく発揮することができる。
【００３９】
（４）前記界面活性剤中におけるカチオン性界面活性剤及び両性界面活性剤の少なくとも一方の界面活性剤の含有量は４０〜８０質量％である。このように、カチオン性界面活性剤及び両性界面活性剤の含有量を高濃度に設定することにより、カチオン性界面活性剤及び両性界面活性剤に基づく制菌性を高レベルで発揮することができる。
【００４０】
（５）前記カチオン性界面活性剤は第４級アンモニウム塩であり、両性界面活性剤はアルキルアミンオキシド又はカルボキシベタインである。このため、カチオン性界面活性剤及び両性界面活性剤に基づく洗浄性を良好に発揮できるとともに、優れた制菌性を発揮することができる。
【００４１】
（６）前記洗浄基剤はさらにキレート剤を含有する。この場合には、排水装置用洗浄剤がキレート作用を発現でき、排水装置内面の金属イオンをキレート化して捕捉することができる。
【００４２】
（７）前記排水装置の内面を構成する合成樹脂はポリオレフィン、塩素系合成樹脂、及びアクリル樹脂から選ばれる少なくとも１種を含む。この場合には、かかる合成樹脂により構成された排水装置内面における水分の残存を抑えたり、油の残存を抑えることにより、汚れの発生や付着を長期間に亘って抑制することができる。
【実施例】
【００４３】
次に、実施例及び比較例を挙げて前記実施形態をさらに具体的に説明する。
（実施例１〜５）
この実施例１〜５においては、排水装置用洗浄剤として界面活性剤を３種類併用した例を示す。すなわち、下記に示す試験片に対して排水装置用洗浄剤を使用して洗浄試験を実施した。【００４４】
（試験片）
縦２５ｍｍ、横５０ｍｍ及び厚さ１ｍｍ以下のポリプロピレン（ＰＰ）製、アクリル樹脂製（カナセ（株）製、キャストアクリルシート）、及びポリ塩化ビニル樹脂（ＰＶＣ）製の各清浄な板材。【００４５】
（排水装置用洗浄剤）
洗浄基剤：オルソ珪酸ナトリウム７７．０質量％、過炭酸ナトリウム１０．０質量％、水酸化ナトリウム５．０質量％、水酸化カリウム５．０質量％及びＥＤＴＡ４ナトリウム４水塩１．０質量％。排水装置用洗浄剤中に洗浄基剤が９８．０質量％、界面活性剤が２．０質量％となるように調製した。【００４６】
界面活性剤：表１の「ノニオン性界面活性剤」欄、「アニオン性界面活性剤」欄、「カチオン性界面活性剤」欄及び「両性界面活性剤」欄に示す種類及び含有量の界面活性剤。
ノニオン性界面活性剤２００：ポリオキシアルキレンアルキルエーテル〔三洋化成工業（株）製セドランＦＦ２００、界面活性剤の有効濃度は１００質量％〕（下記表中においては「ＦＦ２００」と示す。）
ノニオン性界面活性剤４００：ポリオキシエチレンアルキルエーテル〔北広ケミカル（株）製、スコアロール４００、界面活性剤の有効濃度は３０質量％〕（下記表中においては「４００」と示す。）
アニオン性界面活性剤ＥＮ：ポリオキシエチレンアルキルエーテル硫酸ナトリウム〔三洋化成工業（株）製、サンデットＥＮ、界面活性剤の有効濃度は２５質量％〕（下記表中においては「ＥＮ」と示す。）
アニオン性界面活性剤ＥＮＤ：ポリオキシエチレンアルキルエーテル硫酸ナトリウム〔三洋化成工業（株）製、サンデットＥＮＤ、界面活性剤の有効濃度は２５質量％〕（下記表中においては「ＥＮＤ」と示す。）
カチオン性界面活性剤Ｇ５０：塩化ベンザルコニウム５０質量％水溶液〔三洋化成工業（株）製、カチオンＧ５０、界面活性剤の有効濃度は５０質量％〕（下記表中においては「Ｇ５０」と示す。）
両性界面活性剤ＡＬＭ：Ｃ１２〜Ｃ１８のアルキルジメチルアミンオキシド〔日油（株）製、ニッサン・ユニセーフＡＬＭ、界面活性剤の有効濃度は３５質量％〕（下記表中においては「ＡＬＭ」と示す。）
両性界面活性剤２０００：ヤシ油脂肪酸アミドプロピルベタイン〔三洋化成工業（株）製、レボン２０００、界面活性剤の有効濃度は３０質量％〕（下記表中においては「２０００」と示す。）
（洗浄試験）
ＰＰ製の試験片の質量を１０ｍｇの単位まで計測した後、ピンチコックで固定する。一方、１Ｌのビーカーに排水装置用洗浄剤を１５０ｇ投入し、その中に試験片を４枚入れ、ピンチコックにより各試験片が倒れないように設定した。これらの試験片をそれぞれＰＰ製の試験片１〜試験片４と称する。続いて、室温の純水５００ｍＬをビーカーに注ぎ、そのまま２時間保持した後、地下水の流水中で水洗した。【００４７】
試験片１及び試験片２は下記の水膜形成試験にて本効果の評価に用い、試験片３は下記の油膜形成試験にて油脂類の汚れ付着を増加させるなどの弊害の有無の判定に使用した。試験片４は植物油の付着試験及びかかる植物油付着後の流水洗浄試験に使用した。【００４８】
アクリル樹脂製の２枚の試験片（以下、アクリル樹脂製の試験片１，２という）及びＰＶＣ製の２枚の試験片（以下、ＰＶＣ製の試験片１，２という）を上記と同様の方法にて排水装置用洗浄剤に投入し、その後、水洗した。アクリル樹脂製の試験片１，２及びＰＶＣ製の試験片１，２は下記の水膜形成試験にて本効果の評価に用いた。【００４９】
なお、洗浄基剤を使用しない比較例１４〜１７では、表６の「ノニオン性界面活性剤」欄、「アニオン性界面活性剤」欄、「カチオン性界面活性剤」欄及び「両性界面活性剤」欄に示す種類及び含有比率の界面活性剤を含有した洗浄剤を３ｇ使用して試験に供した。【００５０】
（水膜形成試験）
ＰＰ製の試験片を用いて、次のような条件で水膜形成試験を実施した。すなわち、朝９時から夕方５時３０分の間（初日は１時間のみ）は試験片を地下水の流水中に置き、その他の時間は３０℃に調整した恒温水槽中に置いた。毎日この操作を繰返して実施した。そして、試験片１は１日後、２日後、３日後、４日後及び７日後に、試験片２は４日後と７日後に試験片をビーカー内から取り出し、蒸留水中を潜らせてから蒸留水中から取り出してそのまま質量を測定し、試験片両面の水分付着量（ｍｇ／２５ｃｍ２）とした。それらの結果を表１の「水分付着量」欄に日数の若い順に上から示した。【００５１】
（油膜形成試験）
蒸留水に２質量％の大豆油を入れ、超音波発生装置で大豆油を水中に乳化させる。前記４日後のＰＰ製の試験片３をビーカーから取り出し、大豆油乳化液中を潜らせてから蒸留水中から取り出してそのまま質量を測定し、試験片両面の油分付着量（ｍｇ／２５ｃｍ２）とした。それらの結果を表１の「油分付着量」欄に示した。【００５２】
さらに、試験片１の７日後の水分付着量の２倍量と、試験片２の７日後の水分付着量の２倍量との合計水分付着量（ｍｇ／１００ｃｍ２）を算出した。結果を表１の「合計水分付着量」欄に示す。【００５３】
アクリル樹脂製の試験片１，２及びＰＶＣ製の試験片１，２についてもＰＰ製の試験片１，２と同様の方法にて、水膜形成試験によって合計水分付着量（ｍｇ／１００ｃｍ２）を算出した。その結果を表１の「（アクリル樹脂製）合計水分付着量」欄及び「（ＰＶＣ製）合計水分付着量」欄に示す。【００５４】
そして、ＰＰ製の試験片について、その合計水分付着量から界面活性剤を配合しなかった比較例１の排水装置用洗浄剤の合計水分付着量（ｍｇ／１００ｃｍ２）を差し引いた差分付着量（ｍｇ／１００ｃｍ２）を算出し、その結果を表１の「差分付着量」欄に示した。また、得られた差分付着量について、次の判断基準に従って評価し、その結果を表１の「評価」欄に示した。【００５５】
◎：顕著な効果あり、○：十分に効果あり、□：効果あり、△：効果が不十分、×：効果なし。
（植物油の付着試験）
大豆油を入れたビーカーにＰＰ製の試験片４を浸漬した。試験片４を取り出し、１時間吊るし、余分な油を滴下させ、最後に試験片下端の油溜まりをろ紙で吸い取った。その後、試験片４の質量を測定し、大豆油を付着させる前の試験片４の質量から試験片４に付着した大豆油の質量を求め、単位面積当たりの大豆油の付着量（ｍｇ／１００ｃｍ２）を求めた。結果を表１の「植物油の付着量」欄に示した。【００５６】
（植物油付着後の流水洗浄試験）
樹脂容器（幅×深さ×長さ：１５０ｍｍ×１５０ｍｍ×３００ｍｍ）に水を満たし容器の端より約５Ｌ／分の水を流し入れ、反対の端より自然流出させた。上記大豆油の付着量を測定し終った試験片４を上記樹脂容器の水中に入れ１時間流水洗浄した。所定時間が経過した後、試験片４を取り出し１時間以上自然乾燥させた。試験片４に水滴が残っていないことを確認した後、質量を測定した。大豆油を付着させる前の試験片４の質量から試験片４に残った大豆油の質量を求め、単位面積当たりの大豆油の付着量（ｍｇ／１００ｃｍ２）を求めた。結果を表１の「植物油の残存付着量」欄に示した。【００５７】
また、表１の「界面活性剤の有効濃度」欄には、実施例１〜５の製品としての排水装置洗浄剤中に含まれる各界面活性剤の濃度（質量％）を示した。【００５８】
【表１】
2020039846.tif 000002
表１に示したように、実施例２〜５の排水装置用洗浄剤については、試験片１及び試験片２に対する洗浄効果について非常に優れた結果が得られた。また、実施例１ではカチオン性界面活性剤と両性界面活性剤の合計含有量が少ないため実施例２〜５に比べて若干洗浄効果は低下したが、十分に良好な洗浄効果が得られた。油分付着量も比較例１より増大することはなく、汚れ付着を増加させるなどの弊害は発生しなかった。また、実施例１〜５の排水装置用洗浄剤については、ＰＰ製以外の合成樹脂であっても洗浄効果について非常に優れた結果が得られた。また、植物油の付着量及び残存付着量も比較例１よりも減少することが確認された。【００５９】
（実施例６〜９）
この実施例６〜９では、排水装置用洗浄剤として界面活性剤を４種類併用した例を示す。すなわち、実施例６〜９の排水装置用洗浄剤の組成は表２の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は実施例１〜５と同様であり、ＰＰ製試験片について、実施例１〜５と同様の方法で水膜形成試験及び油膜形成試験を行い、その結果を表２の「水分付着量」欄、「油分付着量」欄、「合計水分付着量」欄、「差分付着量」欄及び「評価」欄に示した。また、実施例６，８，９について、実施例１〜５と同様の方法にて、植物油の付着試験及び植物油付着後の流水洗浄試験を行い、その結果を表２の「植物油の付着量」欄及び「植物油の残存付着量」欄に示した。実施例６，８，９について、実施例１〜５と同様の方法にて、アクリル樹脂製の試験片及びＰＶＣ製の試験片の合計水分付着量を測定し、その結果を表２の「（アクリル樹脂製）合計水分付着量」欄及び「（ＰＶＣ製）合計水分付着量」に示した。また、表２の「界面活性剤の有効濃度」欄には、実施例６〜９の製品としての排水装置洗浄剤中に含まれる各界面活性剤の濃度（質量％）を示した。【００６０】
【表２】
2020039846.tif 000003
表２に示したように、実施例６及び７では、試験片１及び試験片２に対する洗浄効果として非常に良好な結果が得られた。実施例８及び９では界面活性剤の合計含有量が少ないため実施例６及び７に比べて若干洗浄効果は低いが、良好な洗浄効果が得られた。油分付着量も比較例１より増大することはなく、汚れ付着を増加させるなどの弊害は発生しなかった。また、実施例６，８，９の排水装置用洗浄剤については、ＰＰ製以外の合成樹脂であっても洗浄効果について非常に優れた結果が得られた。また、植物油の付着量及び残存付着量も比較例１よりも減少することが確認された。【００６１】
（実施例１０〜１５）
この実施例１０〜１５では、排水装置用洗浄剤として界面活性剤を４種類併用し、洗浄基剤の含有量を減少させた例を示す。すなわち、実施例１０〜１５の排水装置用洗浄剤の組成は表３の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は実施例１〜５と同様であり、ＰＰ製試験片について、実施例１〜５と同様の方法で水膜形成試験及び油膜形成試験を行い、その結果を表３の「水分付着量」欄、「油分付着量」欄、「合計水分付着量」欄、「差分付着量」欄及び「評価」欄に示した。また、実施例１０〜１２について、実施例１〜５と同様の方法にて、植物油の付着試験及び植物油付着後の流水洗浄試験を行い、その結果を表３の「植物油の付着量」欄及び「植物油の残存付着量」欄に示した。実施例１０〜１２について、実施例１〜５と同様の方法にて、アクリル樹脂製の試験片及びＰＶＣ製の試験片の合計水分付着量を測定し、その結果を表３の「（アクリル樹脂製）合計水分付着量」欄及び「（ＰＶＣ製）合計水分付着量」に示した。また、表３の「界面活性剤の有効濃度」欄には、実施例１０〜１５の製品としての排水装置洗浄剤中に含まれる各界面活性剤の濃度（質量％）を示した。【００６２】
【表３】
2020039846.tif 000004
表３に示したように、実施例１０〜１５の排水装置用洗浄剤では、試験片１及び試験片２に対する洗浄効果は概ね良好な結果を示した。油分付着量も比較例１より増大することはなく、汚れ付着を増加させるなどの弊害は発生しなかった。また、実施例１０〜１２の排水装置用洗浄剤については、ＰＰ製以外の合成樹脂であっても洗浄効果について非常に優れた結果が得られた。また、植物油の付着量及び残存付着量も比較例１よりも減少することが確認された。【００６３】
（比較例１〜６）
比較例１では排水装置用洗浄剤として、界面活性剤を配合せず、洗浄基剤のみの例を示した。また、比較例２〜６では、排水装置用洗浄剤として、洗浄基剤に１種類の界面活性剤を配合した例を示した。すなわち、比較例１〜６の排水装置用洗浄剤の組成は表４の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は実施例１〜５と同様であり、ＰＰ製試験片について、実施例１〜５と同様の方法で水膜形成試験及び油膜形成試験を行い、その結果を表４の「水分付着量」欄、「油分付着量」欄、「合計水分付着量」欄、「差分付着量」欄及び「評価」欄に示した。また、比較例１〜６について、実施例１〜５と同様の方法にて、植物油の付着試験及び植物油付着後の流水洗浄試験を行い、その結果を表４の「植物油の付着量」欄及び「植物油の残存付着量」欄に示した。比較例１〜６について、実施例１〜５と同様の方法にて、アクリル樹脂製の試験片及びＰＶＣ製の試験片の合計水分付着量を測定し、その結果を表４の「（アクリル樹脂製）合計水分付着量」欄及び「（ＰＶＣ製）合計水分付着量」に示した。また、表４の「界面活性剤の有効濃度」欄には、比較例１〜６の製品としての排水装置洗浄剤中に含まれる各界面活性剤の濃度（質量％）を示した。【００６４】
【表４】
2020039846.tif 000005
表４に示したように、比較例２〜６の排水装置用洗浄剤では、その中に含まれる界面活性剤が１種類であることから、試験片１及び試験片２に対する洗浄効果は非常に低い結果であった。また、比較例２〜６の排水装置用洗浄剤では、ＰＰ製以外の合成樹脂であっても洗浄効果について非常に低い結果であった。また、植物油の付着量及び残存付着量も各実施例よりも多いことが確認された。【００６５】
（比較例７〜１３）
比較例７〜１３では、排水装置用洗浄剤として、洗浄基剤に２種類の界面活性剤を配合した例を示した。すなわち、比較例７〜１３の排水装置用洗浄剤の組成は表５の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は実施例１〜５と同様であり、ＰＰ製試験片について、実施例１〜５と同様の方法で水膜形成試験及び油膜形成試験を行い、その結果を表５の「水分付着量」欄、「油分付着量」欄、「合計水分付着量」欄、「差分付着量」欄及び「評価」欄に示した。また、比較例７〜１３について、実施例１〜５と同様の方法にて、植物油の付着試験及び植物油付着後の流水洗浄試験を行い、その結果を表５の「植物油の付着量」欄及び「植物油の残存付着量」欄に示した。比較例７〜１３について、実施例１〜５と同様の方法にて、アクリル樹脂製の試験片及びＰＶＣ製の試験片の合計水分付着量を測定し、その結果を表５の「（アクリル樹脂製）合計水分付着量」欄及び「（ＰＶＣ製）合計水分付着量」に併せて示した。また、表５の「界面活性剤の有効濃度」欄には、比較例７〜１３の製品としての排水装置洗浄剤中に含まれる各界面活性剤の濃度（質量％）を示した。【００６６】
【表５】
2020039846.tif 000006
表５に示した結果より、比較例７〜１３の排水装置用洗浄剤では、その中に含まれる界面活性剤がいずれも２種類であることから、試験片１及び試験片２に対する洗浄効果は不十分な結果であった。また、比較例７〜１３の排水装置用洗浄剤では、ＰＰ製以外の合成樹脂であっても洗浄効果について非常に低い結果であった。また、植物油の付着量及び残存付着量も各実施例よりも多いことが確認された。【００６７】
（比較例１４〜１７）
比較例１４〜１７では、排水装置用洗浄剤として、３種類の界面活性剤のみ（洗浄基剤なし）を配合した例を示した。すなわち、比較例１４〜１７の排水装置用洗浄剤の組成は表６の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は実施例１〜５と同様であり、ＰＰ製試験片について、実施例１〜５と同様の方法で水膜形成試験及び油膜形成試験を行い、その結果を表６の「水分付着量」欄、「油分付着量」欄、「合計水分付着量」欄、「差分付着量」欄及び「評価」欄に示した。また、表６の「界面活性剤の有効濃度」欄には、比較例１４〜１７の製品としての排水装置洗浄剤中に含まれる各界面活性剤の濃度（質量％）を示した。【００６８】
【表６】
2020039846.tif 000007
表６に示したように、比較例１４〜１７の排水装置用洗浄剤では、その中に洗浄基剤が含まれていないことから、試験片１及び試験片２に対する洗浄効果は全く発揮されない結果であった。【００６９】
なお、前記４種類の界面活性剤において、少なくとも１種類の界面活性剤は３成分以上の界面活性剤を併用してもよい。すなわち、排水装置用洗浄剤は、３種類以上のノニオン性界面活性剤を含有するものであってもよいし、あるいは３種類以上のアニオン性界面活性剤を含有するものであってもよいし、あるいは３種類以上のカチオン性界面活性剤を含有するものであってもよいし、あるいは３種類以上の両性界面活性剤を含有するものであってもよい。【００７０】
前記排水装置用洗浄剤には、粘度調節剤、殺菌剤、防腐剤、湿潤剤及びｐＨ緩衝剤等の成分を配合してもよい。
前記排水装置は洗面所の排水装置、トイレの排水装置等であってもよい。
【手続補正書】
【提出日】令和2年5月7日(2020.5.7)
【手続補正１】
【補正対象書類名】明細書
【補正対象項目名】０００２
【補正方法】変更
【補正の内容】
【０００２】
［０００４］
特許文献１：特開２００３−１７６４９６号公報
発明の概要
発明が解決しようとする課題
［０００５］
前記特許文献１に記載されている従来構成の洗浄剤組成物は、複数の界面活性剤を適宜の配合量で組合せることにより、起泡力を高め、洗浄時に毛髪に適度の滑りを付与し、すすぎ後に髪に好ましい感触を付与することができる。しかしながら、この洗浄剤組成物を合成樹脂製の排水管の洗浄にそのまま適用した場合には、排水管内面において微生物によるバイオフィルムの形成を抑制することができず、合成樹脂のもつ撥水性を発揮することが難しくなる。このため、排水管の内面に水膜が形成され、水分が残存しやすくなり、汚れの発生や付着が加速度的に増大するという問題があった。
［０００６］
本発明は、このような従来技術に存在する問題点に着目してなされたものであり、その目的とするところは、排水装置内面における水分又は油の残存を抑え、汚れの発生や付着を抑制することができる排水装置用洗浄剤を提供することにある。
課題を解決するための手段
［０００７］
上記の目的を達成するために、本発明の排水装置用洗浄剤は、合成樹脂製の排水装置の内面洗浄に使用される排水装置用洗浄剤であって、珪酸アルカリ、過炭酸アルカリ及び水酸化アルカリを含む洗浄基剤と、カチオン性界面活性剤と、ノニオン性界面活性剤、アニオン性界面活性剤及び両性界面活性剤から選ばれる少なくとも２つとを含有する。
［０００８］
前記洗浄基剤には洗浄作用のある珪酸アルカリ及び過炭酸アルカリが含まれるとともに、水分に親和する親水性と油分に親和する親油性を有する複数の界面活性剤が含まれているため、これらの成分が相俟って洗浄作用が発揮され、排水装置内面が洗浄される。
［０００９］
前記洗浄剤を用いて排水装置内面が洗浄されると、洗浄された面に直ちに複数の界面活性剤が親和して付着し、保持される。そして、界面活性剤としてイオン性の異なる少なくとも３種の界面活性剤が併用されることから、特
【手続補正２】
【補正対象書類名】明細書
【補正対象項目名】０００９
【補正方法】変更
【補正の内容】
【０００９】
［００３８］
（３）前記カチオン性界面活性剤及び両性界面活性剤の少なくとも一方の界面活性剤を０．１〜０．６質量％含有する。この場合には、カチオン性界面活性剤及び両性界面活性剤に基づく制菌性を如何なく発揮することができる。
［００３９］
（４）前記界面活性剤中におけるカチオン性界面活性剤及び両性界面活性剤の少なくとも一方の界面活性剤の含有量は４０〜８０質量％である。このように、カチオン性界面活性剤及び両性界面活性剤の含有量を高濃度に設定することにより、カチオン性界面活性剤及び両性界面活性剤に基づく制菌性を高レベルで発揮することができる。
［００４０］
（５）前記カチオン性界面活性剤は第４級アンモニウム塩であり、両性界面活性剤はアルキルアミンオキシド又はカルボキシベタインである。このため、カチオン性界面活性剤及び両性界面活性剤に基づく洗浄性を良好に発揮できるとともに、優れた制菌性を発揮することができる。
［００４１］
（６）前記洗浄基剤はさらにキレート剤を含有する。この場合には、排水装置用洗浄剤がキレート作用を発現でき、排水装置内面の金属イオンをキレート化して捕捉することができる。
［００４２］
（７）前記排水装置の内面を構成する合成樹脂はポリオレフィン、塩素系合成樹脂、及びアクリル樹脂から選ばれる少なくとも１種を含む。この場合には、かかる合成樹脂により構成された排水装置内面における水分の残存を抑えたり、油の残存を抑えることにより、汚れの発生や付着を長期間に亘って抑制することができる。
実施例
［００４３］
次に、参考例、実施例及び比較例を挙げて前記実施形態をさらに具体的に説明する。
（参考例１，２及び実施例３〜５）
この参考例１，２及び実施例３〜５においては、排水装置用洗浄剤として界面活性剤を３種類併用した例を示す。すなわち、下記に示す試験片に対して排水装置用洗浄剤を使用して洗浄試験を実施した。
【手続補正３】
【補正対象書類名】明細書
【補正対象項目名】００１３
【補正方法】変更
【補正の内容】
【００１３】
出し、１時間吊るし、余分な油を滴下させ、最後に試験片下端の油溜まりをろ紙で吸い取った。その後、試験片４の質量を測定し、大豆油を付着させる前の試験片４の質量から試験片４に付着した大豆油の質量を求め、単位面積当たりの大豆油の付着量（ｍｇ／１００ｃｍ２）を求めた。結果を表１の「植物油の付着量」欄に示した。
［００５６］
（植物油付着後の流水洗浄試験）
樹脂容器（幅×深さ×長さ：１５０ｍｍ×１５０ｍｍ×３００ｍｍ）に水を満たし容器の端より約５Ｌ／分の水を流し入れ、反対の端より自然流出させた。上記大豆油の付着量を測定し終った試験片４を上記樹脂容器の水中に入れ１時間流水洗浄した。所定時間が経過した後、試験片４を取り出し１時間以上自然乾燥させた。試験片４に水滴が残っていないことを確認した後、質量を測定した。大豆油を付着させる前の試験片４の質量から試験片４に残った大豆油の質量を求め、単位面積当たりの大豆油の付着量（ｍｇ／１００ｃｍ２）を求めた。結果を表１の「植物油の残存付着量」欄に示した。
［００５７］
また、表１の「界面活性剤の有効濃度」欄には、参考例１，２及び実施例３〜５の製品としての排水装置洗浄剤中に含まれる各界面活性剤の濃度（質量％）を示した。
［００５８］
【手続補正４】
【補正対象書類名】明細書
【補正対象項目名】００１４
【補正方法】変更
【補正の内容】
【００１４】
［表１］
2020039846.tif 000008
表１に示したように、参考例１，２及び実施例３〜５の排水装置用洗浄剤については、試験片１及び試験片２に対する洗浄効果について非常に優れた結果が得られた。また、参考例１ではカチオン性界面活性剤と両性界面活性剤の合計含有量が少ないため参考例１，２及び実施例３〜５に比べて若干洗浄効果は低下したが、十分に良好な洗浄効果が得られた。油分付着量も比較例１より増大することはなく、汚れ付着を増加させるなどの弊害は発生しなかった。また、参考例１，２及び実施例３〜５の排水装置用洗浄剤については、ＰＰ製以外の合成樹脂であっても洗浄効果について非常に優れた結果が得られた。また、植物油の付着量及び残存付着量も比較例１よりも減少することが確認された。
［００５９］
（実施例６〜９）
【手続補正５】
【補正対象書類名】明細書
【補正対象項目名】００１５
【補正方法】変更
【補正の内容】
【００１５】
この実施例６〜９では、排水装置用洗浄剤として界面活性剤を４種類併用した例を示す。すなわち、実施例６〜９の排水装置用洗浄剤の組成は表２の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は参考例１，２及び実施例３〜５と同様であり、ＰＰ製試験片について、参考例１，２及び実施例３〜５と同様の方法で水膜形成試験及び油膜形成試験を行い、その結果を表２の「水分付着量」欄、「油分付着量」欄、「合計水分付着量」欄、「差分付着量」欄及び「評価」欄に示した。また、実施例６，８，９について、参考例１，２及び実施例３〜５と同様の方法にて、植物油の付着試験及び植物油付着後の流水洗浄試験を行い、その結果を表２の「植物油の付着量」欄及び「植物油の残存付着量」欄に示した。実施例６，８，９について、参考例１，２及び実施例３〜５と同様の方法にて、アクリル樹脂製の試験片及びＰＶＣ製の試験片の合計水分付着量を測定し、その結果を表２の「（アクリル樹脂製）合計水分付着量」欄及び「（ＰＶＣ製）合計水分付着量」に示した。また、表２の「界面活性剤の有効濃度」欄には、実施例６〜９の製品としての排水装置洗浄剤中に含まれる各界面活性剤の濃度（質量％）を示した。
［００６０］
【手続補正６】
【補正対象書類名】明細書
【補正対象項目名】００１７
【補正方法】変更
【補正の内容】
【００１７】
併用し、洗浄基剤の含有量を減少させた例を示す。すなわち、実施例１０〜１５の排水装置用洗浄剤の組成は表３の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は参考例１，２及び実施例３〜５と同様であり、ＰＰ製試験片について、参考例１，２及び実施例３〜５と同様の方法で水膜形成試験及び油膜形成試験を行い、その結果を表３の「水分付着量」欄、「油分付着量」欄、「合計水分付着量」欄、「差分付着量」欄及び「評価」欄に示した。また、実施例１０〜１２について、参考例１，２及び実施例３〜５と同様の方法にて、植物油の付着試験及び植物油付着後の流水洗浄試験を行い、その結果を表３の「植物油の付着量」欄及び「植物油の残存付着量」欄に示した。実施例１０〜１２について、参考例１，２及び実施例３〜５と同様の方法にて、アクリル樹脂製の試験片及びＰＶＣ製の試験片の合計水分付着量を測定し、その結果を表３の「（アクリル樹脂製）合計水分付着量」欄及び「（ＰＶＣ製）合計水分付着量」に示した。また、表３の「界面活性剤の有効濃度」欄には、実施例１０〜１５の製品としての排水装置洗浄剤中に含まれる各界面活性剤の濃度（質量％）を示した。
［００６２］
【手続補正７】
【補正対象書類名】明細書
【補正対象項目名】００１９
【補正方法】変更
【補正の内容】
【００１９】
浄基剤に１種類の界面活性剤を配合した例を示した。すなわち、比較例１〜６の排水装置用洗浄剤の組成は表４の「洗浄基剤」欄、「ノニオン性界面活性剤」欄、「アニオン性界面活性剤」欄、「カチオン性界面活性剤」欄及び「両性界面活性剤」欄に示すとおりである。排水装置用洗浄剤による試験片の洗浄方法は参考例１，２及び実施例３〜５と同様であり、ＰＰ製試験片について、参考例１，２及び実施例３〜５と同様の方法で水膜形成試験及び油膜形成試験を行い、その結果を表４の「水分付着量」欄、「油分付着量」欄、「合計水分付着量」欄、「差分付着量」欄及び「評価」欄に示した。また、比較例１〜６について、参考例１，２及び実施例３〜５と同様の方法にて、植物油の付着試験及び植物油付着後の流水洗浄試験を行い、その結果を表４の「植物油の付着量」欄及び「植物油の残存付着量」欄に示した。比較例１〜６について、参考例１，２及び実施例３〜５と同様の方法にて、アクリル樹脂製の試験片及びＰＶＣ製の試験片の合計水分付着量を測定し、その結果を表４の「（アクリル樹脂製）合計水分付着量」欄及び「（ＰＶＣ製）合計水分付着量」に示した。また、表４の「界面活性剤の有効濃度」欄には、比較例１〜６の製品としての排水装置洗浄剤中に含まれる各界面活性剤の濃度（質量％）を示した。
［００６４］
【手続補正８】
【補正対象書類名】明細書
【補正対象項目名】００２０
【補正方法】変更
【補正の内容】
【００２０】
［表４］
2020039846.tif 000009
表４に示したように、比較例２〜６の排水装置用洗浄剤では、その中に含まれる界面活性剤が１種類であることから、試験片１及び試験片２に対する洗浄効果は非常に低い結果であった。また、比較例２〜６の排水装置用洗浄剤では、ＰＰ製以外の合成樹脂であっても洗浄効果について非常に低い結果であった。また、植物油の付着量及び残存付着量も各実施例よりも多いことが確認された。
［００６５］
（比較例７〜１２）
比較例７〜１２では、排水装置用洗浄剤として、洗浄基剤に２種類の界面活性剤を配合した例を示した。すなわち、比較例７〜１２の排水装置用洗浄剤の組成は表５の「洗浄基剤」欄、「ノニオン性界面活性剤」欄、「アニオ
【手続補正９】
【補正対象書類名】明細書
【補正対象項目名】００２１
【補正方法】変更
【補正の内容】
【００２１】
ン性界面活性剤」欄、「カチオン性界面活性剤」欄及び「両性界面活性剤」欄に示すとおりである。排水装置用洗浄剤による試験片の洗浄方法は参考例１，２及び実施例３〜５と同様であり、ＰＰ製試験片について、参考例１，２及び実施例３〜５と同様の方法で水膜形成試験及び油膜形成試験を行い、その結果を表５の「水分付着量」欄、「油分付着量」欄、「合計水分付着量」欄、「差分付着量」欄及び「評価」欄に示した。また、比較例７〜１２について、参考例１，２及び実施例３〜５と同様の方法にて、植物油の付着試験及び植物油付着後の流水洗浄試験を行い、その結果を表５の「植物油の付着量」欄及び「植物油の残存付着量」欄に示した。比較例７〜１２について、参考例１，２及び実施例３〜５と同様の方法にて、アクリル樹脂製の試験片及びＰＶＣ製の試験片の合計水分付着量を測定し、その結果を表５の「（アクリル樹脂製）合計水分付着量」欄及び「（ＰＶＣ製）合計水分付着量」に併せて示した。また、表５の「界面活性剤の有効濃度」欄には、比較例７〜１２の製品としての排水装置洗浄剤中に含まれる各界面活性剤の濃度（質量％）を示した。
［００６６］
【手続補正１０】
【補正対象書類名】明細書
【補正対象項目名】００２２
【補正方法】変更
【補正の内容】
【００２２】
［表５］
2020039846.tif 000010
表５に示した結果より、比較例７〜１２の排水装置用洗浄剤では、その中に含まれる界面活性剤がいずれも２種類であることから、試験片１及び試験片２に対する洗浄効果は不十分な結果であった。また、比較例７〜１２の排水装置用洗浄剤では、ＰＰ製以外の合成樹脂であっても洗浄効果について非常に低い結果であった。また、植物油の付着量及び残存付着量も各実施例よりも多いことが確認された。
［００６７］
（比較例１４〜１７）
比較例１４〜１７では、排水装置用洗浄剤として、３種類の界面活性剤のみ（洗浄基剤なし）を配合した例を示した。すなわち、比較例１４〜１７の排水装置用洗浄剤の組成は表６の「洗浄基剤」欄、「ノニオン性界面活性剤
【手続補正１１】
【補正対象書類名】明細書
【補正対象項目名】００２３
【補正方法】変更
【補正の内容】
【００２３】
」欄、「アニオン性界面活性剤」欄、「カチオン性界面活性剤」欄及び「両性界面活性剤」欄に示すとおりである。排水装置用洗浄剤による試験片の洗浄方法は参考例１，２及び実施例３〜５と同様であり、ＰＰ製試験片について、参考例１，２及び実施例３〜５と同様の方法で水膜形成試験及び油膜形成試験を行い、その結果を表６の「水分付着量」欄、「油分付着量」欄、「合計水分付着量」欄、「差分付着量」欄及び「評価」欄に示した。また、表６の「界面活性剤の有効濃度」欄には、比較例１４〜１７の製品としての排水装置洗浄剤中に含まれる各界面活性剤の濃度（質量％）を示した。
［００６８］
［表６］
2020039846.tif 000011
表６に示したように、比較例１４〜１７の排水装置用洗浄剤では、その中に洗浄基剤が含まれていないことから、試験片１及び試験片２に対する洗浄効果は全く発揮されない結果であった。
［００６９］
なお、前記４種類の界面活性剤において、少なくとも１種類の界面活性剤は３成分以上の界面活性剤を併用してもよい。すなわち、排水装置用洗浄剤
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
合成樹脂製の排水装置の内面洗浄に使用される排水装置用洗浄剤であって、排水装置用洗浄剤は、
珪酸アルカリ、過炭酸アルカリ及び水酸化アルカリを含む洗浄基剤と、
カチオン性界面活性剤と、
ノニオン性界面活性剤、アニオン性界面活性剤及び両性界面活性剤から選ばれる少なくとも２つと
を含有し、前記排水装置用洗浄剤中の前記洗浄基材の含有量は９５〜９９質量％であり、前記排水装置用洗浄剤中の界面活性剤の含有量の合計は０．３〜２．０質量％である排水装置用洗浄剤。
【請求項２】
前記排水装置用洗浄剤中の前記カチオン性界面活性剤及び前記両性界面活性剤の含有量の合計が０．１〜０．６質量％である請求項１に記載の排水装置用洗浄剤。
【請求項３】
前記排水装置用洗浄剤中の界面活性剤の含有量に占める前記カチオン性界面活性剤及び前記両性界面活性剤の割合が４０〜８０質量％である請求項１又は請求項２に記載の排水装置用洗浄剤。
【請求項４】
前記カチオン性界面活性剤は第４級アンモニウム塩であり、前記両性界面活性剤はアルキルアミンオキシド又はカルボキシベタインである請求項１から請求項３のいずれか一項に記載の排水装置用洗浄剤。
【請求項５】
前記洗浄基剤はさらにキレート剤を含有する請求項１から請求項４のいずれか一項に記載の排水装置用洗浄剤。
【請求項６】
前記合成樹脂は、ポリオレフィン、塩素系合成樹脂及びアクリル樹脂から選ばれる少なくとも１種を含む請求項１から請求項５のいずれか一項に記載の排水装置用洗浄剤。
【国際調査報告】
2020039846.tif 000012
2020039846.tif 000013
2020039846.tif 000014
2020039846.tif 000015